(57)【特許請求の範囲】
【請求項１】
伝送すべき高周波の入力信号に基づいて、振幅変調器が振幅変調した送信信号を生成し、この送信信号を変調出力用電気／光変換器が電気／光変換することにより、光強度変調をかけた光信号を生成し、光ファイバ伝送路を介して相手先に伝送する光伝送装置であって、
前記入力信号から入力モニタ信号を分岐する入力分岐手段と、
入力分岐手段が分岐した入力モニタ信号の包絡線を入力信号包絡線として検出する入力信号包絡線検出手段と、
光ファイバ伝送路を介して相手先に伝送する前記光信号から出力モニタ用光信号を分岐する光分岐手段と、
出力モニタ用光信号を光／電気変換して、出力モニタ信号とする出力モニタ用光／電気変換器と、
出力モニタ信号の包絡線を出力信号包絡線として検出する出力信号包絡線検出手段と、
入力信号包絡線と出力信号包絡線とを比較し、その差分を検出し、検出した差分に応じて前記振幅変調器の変調度を抑える差分検出手段とを有し、
前記出力モニタ用光／電気変換器と出力信号包絡線検出手段とは、動作速度を遅くされたフォトダイオードで構成されていることを特徴とする光伝送装置。
【請求項２】
伝送すべき高周波の入力信号に基づいて、振幅変調器が振幅変調した送信信号を生成し、この送信信号を電気／光変換することにより、光強度変調をかけた光信号を生成し、光ファイバ伝送路を介して相手先に伝送する光伝送装置であって、
前記入力信号から入力モニタ信号を分岐する入力分岐手段と、
入力分岐手段が分岐した入力モニタ信号の包絡線を入力信号包絡線として検出する入力信号包絡線検出手段と、
レーザチップ、光結合器、フォトダイオードを含み、前記振幅変調器の出力をレーザチップで電気／光変換することにより、光強度変調をかけた光信号を生成し、生成した光信号を光結合器を介して光ファイバ伝送路に出力するとともに、フォトダイオードでレーザチップの出力をモニタし、出力モニタ信号として出力する電気／光変換モジュールと、
電気／光変換モジュールのフォトダイオードの出力モニタ信号の包絡線を出力信号包絡線として検出する出力信号包絡線検出手段と、
入力信号包絡線と出力信号包絡線とを比較し、その差分を検出し、検出した差分に応じて前記振幅変調器の変調度を抑える差分検出手段とを有し、
前記電気／光変換モジュールのフォトダイオードと前記出力信号包絡線検出手段とは、動作速度を遅くさせた前記電気／光変換モジュールのフォトダイオードによって構成される光伝送装置。
【発明の詳細な説明】
【０００１】
【発明の属する技術分野】
この発明は、光伝送装置に関し、特に、伝送すべき高周波の入力信号に基づいて、振幅変調器が振幅変調した送信信号を生成し、この送信信号を電気／光変換することにより、光強度変調をかけた光信号を生成し、光ファイバ伝送路を介して相手先に伝送する光伝送装置に関する。
【０００２】
【従来の技術】
近年、光ファイバにより高周波信号を伝送する技術が広まっている。図６は、この高周波伝送技術の適用された光伝送系の典型的な従来例を示すブロック図である。この場合、電気／光変換器１１０において、高周波の入力信号Ｅ（ｔ）でアナログ変調をかけた光信号を生成し、その光信号を光伝送媒質１２０を介して相手側に伝送し、相手側では、受信した光信号に対して、光／電気変換器１３０による光／電気変換を行い、出力信号Ｅｑ（ｔ）を取り出している。この技術によれば、低損失で軽量細径な伝送媒体である優れた特徴をもつ光ファイバを光伝送媒質１２０として利用し高周波信号の伝送を行うことができる。そして、従来の金属線を利用した伝送技術と比較し、特に高い周波数の信号の伝送を行う場合や長距離伝送を行う場合に優れている。この場合の一般的な変調方法としては、高周波信号によって光信号の強度を変調する光強度変調方式がある。この光強度変調方式の他には光の周波数を変調する方法等があるが、広く使用されるには至っていない。
【０００３】
上述の光強度変調方式の特徴として、高周波信号を光信号に変換することが容易であるということがある。すなわち、半導体レーザを発光器に使用する場合、その駆動電流を直接高周波信号によって強度変調をかけることにより、光信号の直接変調を実行できる。また、複数の高周波信号が周波数分割多重、符号分割多重、時分割多重等の方法によって多重化されている場合に、その多重化された信号をそのまま伝送することが可能であり、伝送された多重化信号を受信して、もとの信号を再生することも可能である。このように、比較的に簡単な装置により、高周波信号を伝送することができるので、光アナログ伝送方式の応用分野として、現在、有線テレビ（ＣＡＴＶ）での複数の映像信号の伝送や移動体通信等の無線信号の中継に応用されている。
【０００４】
【発明が解決しようとする課題】
このように、アナログ変調した光信号を用いることにより信号を伝送する方法では、その光伝送系における伝送品質が重要項目となり、特に、この光伝送系で発生する雑音および歪みによりその伝送品質が制限されるということが重要項目となる。この光伝送部において発生する雑音としては、発光器（レーザ）で発生するものと受光器で発生するものとがある。また歪みはその伝送しようとするアナログ信号がある有限の帯域をもち、それ以外の帯域は使用していない場合、歪み信号、特に、奇数次歪み信号が伝送信号近傍の同一信号帯域に発生し問題となる。例えば、移動体通信の分野で、８００ＭＨｚにおいて数１０ＭＨｚの帯域をもつ携帯電話信号を伝送しようとすると、２次歪みは直流近傍および２倍の１６００ＭＨｚ帯に発生するが、これらの２次歪み信号は８００ＭＨｚの伝送の目的の信号からは大きく離れているために周波数フィルタにより容易に除去することができる。しかし、３次歪み信号は、８００ＭＨｚ帯内の伝送しようとする信号の近傍に発生し、周波数フィルタによりこの歪み信号を除去することは容易でない。つまり、この奇数次（特に、３次）歪量が伝送系の伝送品質を制限しており、光伝送系における雑音発生量と、歪みを発生させる信号量とにより、入力信号に対するダイナミックレンジが制限されることとなる。
【０００５】
上述の光伝送系において、入力信号でアナログ変調した光信号を生成する場合、その光信号の光変調度により上記の伝送品質は変化する。他方、光伝送系において発生する雑音量の絶対値は、光変調度にはほとんど無関係であり、発光器（レーザ）、受光器、光ファイバ等のデバイスに依存する。つまり、光変調度を上げると、伝送しようとする信号と雑音との比（ＣＮＲ）は上昇する。しかし、歪み信号と光変調度との関係は、光変調度を上げると含まれる歪み成分の量も増加する。そのために、この雑音と歪み量とのバランスをとった光変調度の設定が必要である。その設定された光変調度によるその光伝送系のダイナミックレンジはレーザや受光器および光伝送損失に依存することとなるという問題点がある。
【０００６】
ところで、上述した光伝送系においては、雑音と歪み量とのバランスをとった光変調度の設定が必要である。そこで、携帯電話等の移動体通信の基地局設備を考察してみると、基地局設備は、無線信号を変調する変調装置とその信号を増幅する電力増幅装置等により構成されている。また、通常一つの基地局で複数の周波数の無線信号を送信するため、この変調装置には、その周波数の数だけの設備がある。一方、電力増幅装置は、従来、その周波数毎の増幅装置を設置し、その出力を合成して送信するシステムであったが、近年複数の周波数の信号をまとめて増幅する“共通増幅装置”による共通増幅方式が一般的である。この共通増幅方式では複数の信号を増幅するため、前述したような相互変調歪みによる不要信号が発生する。この不要信号を低減する方法としては、低歪みの増幅器を使用することにより実現できる。しかし、一般的に低歪みの増幅器は、大出力の増幅器によって実現されるが、大出力の増幅器は、消費電力も大きくなり、発熱量も大きく経済的ではない。そこで、それほど大出力の増幅器でなくても低歪みの増幅ができるように、歪み信号の低減を行う方法（歪み補償法）が幾つか提案されている。この歪み補償の方法としては、負帰還方式、包絡線帰還方式、ヘテロダイン帰還方式、プレディストーション方式、キューバプレディストーション方式、フィードフォワード方式等があり、それぞれ特徴を持った効果を奏している。
【０００７】
図７は、上述の様々な歪み補償法のうち、包絡線帰還方式による歪補償を行った増幅器の原理を示すブロック図である。図７に示される増幅器に入力された入力信号Ｅ（ｔ）は分岐器１１１により分岐され、一方の信号Ｅａ（ｔ）は振幅変調器１１２に、他方は包絡線検波器１１５に入力される。振幅変調器１１２は変調信号ＳＭにより分岐器１１１からの入力信号に対して、振幅変調（ＡＭ）を行うものである。包絡線検波器１１５は、その入力信号の包絡線に比例した信号を出力する。振幅変調器１１２により振幅変調が行われた信号Ｅｂ（ｔ）は、主増幅器１１３に入力される。この主増幅器１１３は入力信号Ｅｂ（ｔ）に応じた歪み信号成分ＩＭ（ｔ）を発生する。そのため、増幅度Ａの主増幅器１１３の出力Ｅｑ（ｔ）は、ほぼ下記の式（１）
Ｅｑ（ｔ）＝Ａ・Ｅｂ（ｔ）＋ＩＭ（ｔ）・・・・（１）
のように表される。
【０００８】
ここで主増幅器１１３における歪み信号成分は入力信号Ｅｂ（ｔ）に応じて発生し、入力信号Ｅｂ（ｔ）が大きいとその歪み信号量も大きくなる。このようにして、主増幅器１１３により増幅された信号は分岐器１１４に入力され、その出力の一方は増幅器出力Ｅｑ（ｔ）として出力され、他方は包絡線検波器１１７に入力される。この包絡線検波器１１７および前記の包絡線検波器１１５の出力は差分器１１８に入力される。差分器１１８は、これらの２つの包絡線検波器１１５，１１７の出力である入力信号包絡線と出力信号包絡線とを比較し、その差分を出力する。この差分出力は、振幅変調器１１２を制御する差分出力ＳＭとして振幅変調器１１２に与えられる。このような包絡線検波方式による歪み補償付き増幅器では入力信号が大きくなり、主増幅器１１３で歪みが発生すると、入力信号包絡線と出力信号包絡線とが歪み成分だけ比例関係から外れる。この外れた量が差分器出力として振幅変調器１１２に与えられ、振幅変調器１１２は、この差分出力ＳＭに基づいて、信号Ｅｂ（ｔ）の包絡線を減ずるように振幅変調を行い、主増幅器１１３の信号Ｅｂ（ｔ）が減少され、主増幅器の歪み信号量が低減する。
【０００９】
そこで、この発明は、上述した増幅器に対する包絡線帰還方式の原理を光伝送装置、特に、レーザモジュールを使用した光伝送装置に利用することにより、ダイナミックレンジを広げることができる光伝送装置を提供することを目的とする。
【００１０】
【課題を解決するための手段】
前述した課題を解決するために、この発明は、伝送すべき高周波の入力信号に基づいて、振幅変調器が振幅変調した送信信号を生成し、この送信信号を変調出力用電気／光変換器が電気／光変換することにより、光強度変調をかけた光信号を生成し、光ファイバ伝送路を介して相手先に伝送する光伝送装置であって、前記入力信号から入力モニタ信号を分岐する入力分岐手段と、入力分岐手段が分岐した入力モニタ信号の包絡線を入力信号包絡線として検出する入力信号包絡線検出手段と、光ファイバ伝送路を介して相手先に伝送する前記光信号から出力モニタ用光信号を分岐する光分岐手段と、出力モニタ用光信号を光／電気変換して、出力モニタ信号とする出力モニタ用光／電気変換器と、出力モニタ信号の包絡線を出力信号包絡線として検出する出力信号包絡線検出手段と、入力信号包絡線と出力信号包絡線とを比較し、その差分を検出し、検出した差分に応じて前記振幅変調器の変調度を抑える差分検出手段とを有する。
【００１１】
このような構成によれば、差分検出手段が入力信号包絡線検出手段と出力信号包絡線検出手段との出力である入力信号包絡線と出力信号包絡線とを比較することによって、その差分から、変調および電気／光変換により発生し、光ファイバ伝送路に出力された光信号に含まれる歪み成分を検出でき、その成分が多くなろうとすると、振幅変調器の変調度を抑えることにより、その成分が多くなるのを防止する。したがって、入力信号に対するダイナミックレンジを広げることができる。
【００１２】
そして、この発明の実施の形態では、伝送すべき高周波の入力信号Ｅ（ｔ）に基づいて、振幅変調器１２が振幅変調した送信信号ＥＢ（ｔ）を生成し、この送信信号を変調出力用電気／光変換器１３が電気／光変換することにより、光強度変調をかけた光信号ＰＡ，ＰＢを生成し、光ファイバ伝送路Ｆ１，２０を介して相手先に伝送する光伝送装置であって、入力信号Ｅ（ｔ）から入力モニタ信号ＤＡ（ｔ）を分岐する入力分岐手段１１と、入力分岐手段１１が分岐した入力モニタ信号ＤＡ（ｔ）の包絡線を入力信号包絡線ＤＢ（ｔ）として検出する入力信号包絡線検出手段１５と、光ファイバ伝送路２０を介して相手先に伝送する光信号ＰＡから出力モニタ用光信号ＰＣを分岐する光分岐手段１４と、出力モニタ用光信号ＰＣを光／電気変換して、出力モニタ信号ＣＡ（ｔ）とする出力モニタ用光／電気変換器１６と、出力モニタ信号ＣＡ（ｔ）の包絡線を出力信号包絡線ＣＢ（ｔ）として検出する出力信号包絡線検出手段１７と、入力信号包絡線ＤＢ（ｔ）と出力信号包絡線ＣＢ（ｔ）とを比較し、その差分ＳＭを検出し、検出した差分ＳＭに応じて振幅変調器１２の変調度を抑える差分検出手段１８とを有する光電送装置が開示されている。
【００１３】
また、この発明において、前記出力モニタ用光／電気変換器と出力信号包絡線検出手段とは、動作速度を遅くされたフォトダイオードで構成される。
【００１４】
このような構成によれば、構成部材は少なくなり、回路を簡単に構成できる。
【００１５】
また、この発明は、伝送すべき高周波の入力信号に基づいて、振幅変調器が振幅変調した送信信号を生成し、この送信信号を電気／光変換することにより、光強度変調をかけた光信号を生成し、光ファイバ伝送路を介して相手先に伝送する光伝送装置であって、前記入力信号から入力モニタ信号を分岐する入力分岐手段と、入力分岐手段が分岐した入力モニタ信号の包絡線を入力信号包絡線として検出する入力信号包絡線検出手段と、レーザチップ、光結合器、フォトダイオードを含み、前記振幅変調器の出力をレーザチップで電気／光変換することにより、光強度変調をかけた光信号を生成し、生成した光信号を光結合器を介して光ファイバ伝送路に出力するとともに、フォトダイオードでレーザチップの出力をモニタし、出力モニタ信号として出力する電気／光変換モジュールと、電気／光変換モジュールのフォトダイオードの出力モニタ信号の包絡線を出力信号包絡線として検出する出力信号包絡線検出手段と、入力信号包絡線と出力信号包絡線とを比較し、その差分を検出し、検出した差分に応じて前記振幅変調器の変調度を抑える差分検出手段とを有する。
【００１６】
このような構成によれば、振幅変調器の出力をレーザチップで電気／光変換することにより、光強度変調をかけた光信号を生成し、生成した光信号を光結合器を介して光ファイバ伝送路に出力するとともに、フォトダイオードでレーザチップの出力をモニタし、出力モニタ信号として出力するのを電気／光変換モジュールで一括して処理できるとともに、差分検出手段が入力信号包絡線検出手段と出力信号包絡線検出手段との出力である入力信号包絡線と出力信号包絡線とを比較することによって、その差分から、変調および電気／光変換により発生し、光ファイバ伝送路に出力された光信号に含まれる歪み成分を検出でき、その成分が多くなろうとすると、振幅変調器の変調度を抑えることにより、その成分が多くなるのを防止する。したがって、入力信号に対するダイナミックレンジを広げることができる。
【００１７】
そして、この発明の実施の形態では、伝送すべき高周波の入力信号Ｅ（ｔ）に基づいて、振幅変調器１２が振幅変調した送信信号ＥＢ（ｔ）を生成し、この送信信号を電気／光変換することにより、光強度変調をかけた光信号Ｐを生成し、光ファイバ伝送路２０を介して相手先に伝送する光伝送装置であって、前記入力信号Ｅ（ｔ）から入力モニタ信号ＤＡ（ｔ）を分岐する入力分岐手段１１と、入力分岐手段１１が分岐した入力モニタ信号ＤＡ（ｔ）の包絡線を入力信号包絡線ＤＢ（ｔ）として検出する入力信号包絡線検出手段１５と、レーザチップ２３ａ、光結合器２３ｂ、フォトダイオード２３ｃを含み、振幅変調器１２の出力をレーザチップ２３ａで電気／光変換することにより、光強度変調をかけた光信号Ｐを生成し、生成した光信号Ｐを光結合器２３ｂを介して光ファイバ伝送路２０に出力するとともに、フォトダイオード２３ｃでレーザチップ２３ａの出力をモニタし、出力モニタ信号ＣＡ（ｔ）として出力する電気／光変換モジュール２３と、電気／光変換モジュール２３のフォトダイオード２３ｃの出力モニタ信号ＣＡ（ｔ）の包絡線を出力信号包絡線ＣＢ（ｔ）として検出する出力信号包絡線検出手段１７と、入力信号包絡線ＤＢ（ｔ）と出力信号包絡線ＣＢ（ｔ）とを比較し、その差分ＳＭを検出し、検出した差分ＳＭに応じて振幅変調器１２の変調度を抑える差分検出手段１８とを有する。
【００１８】
さらに、この発明において、前記電気／光変換モジュールのフォトダイオードと前記出力信号包絡線検出手段とは、動作速度を遅くさせた前記電気／光変換モジュールのフォトダイオードによって構成される。
【００１９】
このような構成によれば、構成部材は少なくなり、回路を簡単に構成できる。
【００２０】
【発明の実施の形態】
以下、この発明の実施の形態について添付図面に基づいて説明する。
なお、実施の形態において、この発明は、光伝送を行った先で高周波信号の電力増幅を行うシステム、例えば、携帯電話の基地局装置等に適用するものとして説明されている。つまり、携帯電話の無線信号等の高周波信号を光ファイバにより数百ｍから数ｋｍ程度伝送して、その先で電力増幅して出力するような応用に適用されている。
【００２１】
実施の形態１．
図１は、この発明の光伝送装置の実施の形態１が使用されている光伝送システムを示すブロック図である。
光伝送システム１は、電気的な入力信号Ｅ（ｔ）を光信号ＰＢに変換する光伝送装置１０と、一端が光伝送装置１０に接続された光ファイバ２０と、光ファイバ２０の他端に接続され、光ファイバ２０を介して送られてくる光信号を電気信号に変換して出力信号ＥＱ（ｔ）を出力する光／電気変換器３０とから構成されている。この場合、光伝送装置１０は、分岐器１１と、振幅変調器１２と、電気／光変換器１３と、光分岐器１４と、光／電気変換器１６と、包絡線検波器１５，１７と、差分器１８と、光ファイバＦ１，Ｆ２とから構成されている。分岐器１１は、電気的な高周波信号である入力信号Ｅ（ｔ）を２つの経路に分岐し、信号ＤＡ（ｔ），ＥＡ（ｔ）として出力する。分岐された一方の信号ＥＡ（ｔ）は振幅変調器１２に、他方の信号ＤＡ（ｔ）は包絡線検波器１５に入力される。包絡線検波器１５に入力された信号ＤＡ（ｔ）は、包絡線検波を受け、その包絡線に応じた出力ＤＢ（ｔ）を差分器１８に出力する。分岐された他方の信号ＥＡ（ｔ）は振幅変調器１２に入力される。振幅変調器１２は、信号ＥＡ（ｔ）に基づき振幅変調を行い、信号ＥＢ（ｔ）を出力するが、その変調度は、差分器１８の差分出力ＳＭによる制御（抑圧）を受ける。
【００２２】
電気／光変換器（例えば、半導体レーザ）１３は、電気的な信号ＥＢ（ｔ）を変換して光信号ＰＡとし、光ファイバＦ１に出力する。この場合、電気／光変換器１３においては、その入力信号ＥＢ（ｔ）のレベルに応じて光信号ＰＡに含まれる歪み信号の発生レベルが異なる。光分岐器１４は、光ファイバＦ１を介して与えられた電気／光変換器１３の光信号ＰＡを光信号ＰＢ，ＰＣに光分岐する。光分岐された一方の光信号ＰＢは光ファイバ２０等からなる光伝送系に出力され、伝送先の光／電気変換器３０で光／電気変換され、電気的な出力信号ＥＱ（ｔ）として出力される。光分岐された他方の光信号ＰＣは光ファイバＦ２を介して光／電気変換器１６に与えられる。光／電気変換器１６は、与えられた光信号ＰＣを電気信号ＣＡ（ｔ）に変換する。包絡線検波器１７は、光／電気変換器１６が出力した電気信号ＣＡ（ｔ）を受け取り、信号ＣＡ（ｔ）の包絡線ＣＢ（ｔ）を出力する。差分器１８では包絡線検波器１５からの包絡線ＤＢ（ｔ）と、包絡線検波器１７からの包絡線ＣＢ（ｔ）との差分をとり、その差分に応じた差分出力ＳＭを出力する。この差分出力ＳＭは振幅変調器１２に与えられる。この差分出力ＳＭは、電気／光変換器１３から発生する歪み成分の歪み量の振幅に応じた出力であるから、歪み量が大きい場合、振幅変調器１２は、振幅が低くなるように振幅変調をかけるので、電気／光変換器１３の入力信号強度が低くなり、電気／光変換器１３における歪み信号発生を抑えることができる。
【００２３】
実施の形態２．
次に、図２を用いて光伝送装置の実施の形態２について説明する。上述の実施の形態１においては、光／電気変換器１６によって光／電気変換した信号を包絡線検波器１７に与えて包絡線検波を行っているが、図２の光伝送装置４０においては、図１の光／電気変換器１６および包絡線検波器１７の代わりにフォトダイオード２６を使用している。この場合、フォトダイオード２６の動作速度を遅く調整することにより、光強度変調された光信号ＰＡ，ＰＢの包絡線を出力することを可能にしている。つまり、このフォトダイオード２６の動作速度を遅く設定することにより、１個の部材で回路構成を簡単にし、かつ、光強度変調信号の包絡線を直接的に出力することを可能にしている。このように、フォトダイオード２６の出力信号は、光信号ＰＡ，ＰＢの包絡線に応じた信号であるため、信号ＳＭを差分器に入力することにより前述したように歪み信号の補償（打ち消し）を行うことが可能となる。
【００２４】
実施の形態３．
次に、図３を用いて光伝送装置の実施の形態３について説明する。図３で示される光伝送装置５０は、図１の光伝送装置１０と比較してみると、光伝送装置１０の電気／光変換器１３、光ファイバＦ１，Ｆ２、光分岐器１４、光／電気変換器１６が電気／光変換モジュール２３に置き換えられている。この場合、電気／光変換モジュール２３は、レーザチップ２３ａと、光結合系２３ｂと、フォトダイオード２３ｃとによって一体的に構成され、図４に示されるような名称にふさわしいモジュール構造を有している。図１の光伝送装置１０と同じ構造の部分は同じ働きをするので詳しい説明は行わない。電気／光変換モジュール２３のレーザチップ２３ａは、振幅変調器１２の出力ＥＢ（ｔ）を入力して電気／光変換を行うことにより、光強度変調を受けた光信号を生成する。その出力である光信号を前方に配置された光結合系２３ｂを介して光ファイバ２０に出力する。光ファイバ２０に出力された光信号Ｐは、伝送先の光／電気変換器３０で光／電気変換され、電気的な出力信号ＥＱ（ｔ）として出力される。
【００２５】
上述の場合、フォトダイオード２３ｃは、レーザチップ２３ａの後方に配置され、レーザチップ２３ａの出力に応じて洩れる光を受光することにより、レーザチップ２３ａから発光される光信号出力をモニタする。フォトダイオード２３ｃは、モニタした光信号を電気的な信号ＣＡ（ｔ）に変換して包絡線検波器１７に出力する。差分器１８は、図１の光伝送装置１０におけると同様に、図３の光伝送装置５０においても、包絡線検波器１５からの包絡線ＤＢ（ｔ）と、包絡線検波器１７からの包絡線ＣＢ（ｔ）との差分をとり、その差分に応じた出力ＳＭを出力する。この差分出力ＳＭは振幅変調器１２に与えられる。この差分出力ＳＭは、電気／光変換モジュール２３から発生する歪み成分の歪み量の振幅に応じた出力であるから、歪み量が大きい場合、振幅変調器１２は、振幅が低くなるように振幅変調を制御するので、電気／光変換モジュール２３の入力信号強度が低くなり、電気／光変換モジュール２３における歪み信号発生を抑えることができる。したがって、入力信号に対するダイナミックレンジを広くすることができる。
【００２６】
実施の形態４．
さらに、図５で示される光伝送装置の実施の形態４について説明する。図３の実施の形態３においては、フォトダイオード２３ｃからの信号を包絡線検波器１７によって包絡線検波を行っているが、図５の光伝送装置６０においては、図３の包絡線検波器１７は使用せずに、フォトダイオード２３ｃの動作速度を遅く調整して光強度変調信号の包絡線を出力することを可能にしている。つまり、このフォトダイオード２３ｃの動作速度を遅く設定することにより、包絡線検波器１７を使用せずに、フォトダイオード２３ｃが直接的に光強度変調信号の包絡線を出力することが可能となっている。この場合、フォトダイオード２３ｃの出力信号は、光信号Ｐの包絡線に応じた信号であるため、信号ＣＢ（ｔ）を差分器に入力することにより前述したように歪み信号の補償を行うことが可能となる。
【００２７】
【発明の効果】
以上において詳述したように、この発明の光伝送装置によれば、差分検出手段が入力信号包絡線検出手段と出力信号包絡線検出手段との出力である入力信号包絡線と出力信号包絡線とを比較することによって、その差分から、変調および電気／光変換により発生し、光ファイバ伝送路に出力された光信号に含まれる歪み成分を検出でき、その成分が多くなろうとするとするのを、振幅変調器の変調度を抑えることにより防止できる。したがって、発光器、受光器、伝送路による光伝送系固有の雑音特性、歪み特性を改善することなく、伝送信号のダイナミックレンジの拡大をすることが可能となる。すなわち、同じデバイスを使用した場合は、より伝送特性を改善することができる。
【図面の簡単な説明】
【図１】この発明の光伝送装置の実施の形態１が使用された光伝送システムを示すブロック図である。
【図２】この発明の光伝送装置の実施の形態２が使用された光伝送システムを示すブロック図である。
【図３】この発明の光伝送装置の実施の形態３が使用された光伝送システムを示すブロック図である。
【図４】図３の実施の形態３に使用される電気／光変換モジュールの構造を示す図である。
【図５】この発明の光伝送装置の実施の形態４が使用された光伝送システムを示すブロック図である。
【図６】光ファイバにより高周波信号を伝送する技術が適用された典型的な光伝送系の従来例を示すブロック図である。こ
【図７】携帯電話等の移動体通信の基地局設備等における無線信号包絡線帰還方式による歪補償を行った増幅器の原理を示すブロック図である。
【符号の説明】
１，２，３，４    光伝送システム
１０，４０，５０，６０    光伝送装置
１１    分岐器
１２    振幅変調器
１３    電気／光変換器
１４    光分岐器
１５，１７    包絡線検波器
１６，３０    光／電気変換器
１８    差分器
２０，Ｆ１，Ｆ２    光ファイバ
２３    電気／光変換モジュール
２３ａ    レーザチップ
２３ｂ    光結合系
２３Ｃ，２６    フォトダイオード
【図１】
0004397087.tif 000002
【図２】
0004397087.tif 000003
【図３】
0004397087.tif 000004
【図４】
0004397087.tif 000005
【図５】
0004397087.tif 000006
【図６】
0004397087.tif 000007
【図７】
0004397087.tif 000008